(57)【要約】【課題】設置場所を容易に変更できる照明装置を提供すること。【解決手段】照明装置は、電動工具用のバッテリが通過可能な開口及び開口に接続される内部空間を有するハウジングとハウジングの下部に配置される錘とを含む本体部と、本体部よりも上方に配置される発光部と、内部空間に配置され、開口から離れるほど下方に傾斜するバッテリ装着部と、を備える。【選択図】図１１
2020126812.tif 000002
【特許請求の範囲】
【請求項１】
電動工具用のバッテリが通過可能な開口及び前記開口に接続される内部空間を有するハウジングと前記ハウジングの下部に配置される錘とを含む本体部と、
前記本体部よりも上方に配置される発光部と、
前記内部空間に配置され、前記開口から離れるほど下方に傾斜するバッテリ装着部と、
を備える照明装置。
【請求項２】
前記開口の少なくとも一部は、前記ハウジングの側面において前記バッテリ装着部よりも上方に設けられる、
請求項１に記載の照明装置。
【請求項３】
前記バッテリ装着部は、前記バッテリをガイドするガイドレールを有し、
前記ガイドレールは、前記開口から離れるほど下方に傾斜する、
請求項１又は請求項２に記載の照明装置。
【請求項４】
前記開口と前記バッテリ装着部との間において前記開口から離れるほど下方に傾斜して、前記バッテリをガイドするガイド部を備える、
請求項１から請求項３のいずれか一項に記載の照明装置。
【請求項５】
前記本体部の中心線が鉛直線と平行となるように前記本体部の姿勢が復元され、
前記中心線と平行な方向の前記本体部の寸法は、前記中心線と直交する方向の前記本体部の寸法よりも大きく、
前記本体部は、前記錘を含むカウンターウエイト部と、前記カウンターウエイト部よりも上方に配置され前記発光部を支持する支持部とを有し、
前記中心線と直交する面において、前記カウンターウエイト部の外形は、前記支持部の外形よりも大きく、
前記バッテリ装着部は、前記カウンターウエイト部の内部空間に配置される、
請求項１から請求項４のいずれか一項に記載の照明装置。
【請求項６】
前記中心線と直交する面において、前記バッテリ装着部の少なくとも一部は、前記カウンターウエイト部の中央に配置される、
請求項５に記載の照明装置。
【請求項７】
前記カウンターウエイト部は、前記中心線と直交する底面と、前記底面の周縁部と結ばれ上方に向かって前記中心線から離れる湾曲面と、前記湾曲面の上端部と結ばれ上方に向かって前記中心線に近付く斜面とを有し、
前記中心線と平行な方向において、前記バッテリ装着部は、前記湾曲面と前記斜面との境界よりも下方に配置される、
請求項５又は請求項６に記載の照明装置。
【請求項８】
前記バッテリ装着部に装着された状態で、前記バッテリの少なくとも一部は、前記境界よりも下方に配置される、
請求項７に記載の照明装置。
【請求項９】
前記開口の少なくとも一部は、前記斜面に設けられる、
請求項７又は請求項８に記載の照明装置。
【請求項１０】
前記本体部の上部を囲むように配置された上部ハンドルを備え、
前記中心線と直交する面において、上部ハンドルの外形は、前記発光部の外形よりも大きい、
請求項５から請求項９のいずれか一項に記載の照明装置。
【請求項１１】
前記上部ハンドル及び前記カウンターウエイト部が設置面に接触した状態で、前記発光部は、前記設置面から離れる、
請求項１０に記載の照明装置。
【請求項１２】
前記カウンターウエイト部に設けられた下部ハンドルを備える、
請求項５から請求項１１のいずれか一項に記載の照明装置。
【請求項１３】
前記下部ハンドルは、前記カウンターウエイト部の側面に設けられた凹部の内面と間隙を介して対向する、
請求項１２に記載の照明装置。
【請求項１４】
前記カウンターウエイト部に設けられ、前記中心線の放射方向外側に突出する突起部を備える、
請求項５から請求項１３のいずれか一項に記載の照明装置。
【請求項１５】
前記開口を開閉するドアを備え、
前記ドアの上部と前記ハウジングの少なくとも一部とがヒンジを介して連結される、
請求項１から請求項１４のいずれか一項に記載の照明装置。
【請求項１６】
前記バッテリ装着部は複数設けられ、
複数の前記バッテリ装着部のそれぞれに着脱可能に装着される電動工具用のバッテリを備える、
請求項１から請求項１５のいずれか一項に記載の照明装置。
【発明の詳細な説明】
【技術分野】
【０００１】
本発明は、照明装置に関する。
【背景技術】
【０００２】
照明装置に係る技術分野において、外力の作用により姿勢を変更されても、所定の姿勢に自然に復元される照明装置が知られている。
【先行技術文献】
【特許文献】
【０００３】
【特許文献１】米国特許第８４８５６９９号明細書
【発明の概要】
【発明が解決しようとする課題】
【０００４】
照明装置の電源として商用電源が使用される場合、照明装置の設置場所が制限される可能性がある。
【０００５】
本発明の態様は、設置場所を容易に変更できる照明装置を提供することを目的とする。
【課題を解決するための手段】
【０００６】
本発明の態様に従えば、電動工具用のバッテリが通過可能な開口及び前記開口に接続される内部空間を有するハウジングと前記ハウジングの下部に配置される錘とを含む本体部と、前記本体部よりも上方に配置される発光部と、前記内部空間に配置され、前記開口から離れるほど下方に傾斜するバッテリ装着部と、を備える照明装置が提供される。
【発明の効果】
【０００７】
本発明の態様によれば、設置場所を容易に変更できる照明装置が提供される。
【図面の簡単な説明】
【０００８】
【図１】図１は、実施形態に係る照明装置を模式的に示す図である。
【図２】図２は、実施形態に係る照明装置を斜め上方から見た斜視図である。
【図３】図３は、実施形態に係る照明装置を斜め下方から見た斜視図である。
【図４】図４は、実施形態に係る照明装置を＋Ｘ側から見た側面図である。
【図５】図５は、実施形態に係る照明装置を＋Ｙ側から見た側面図である。
【図６】図６は、実施形態に係る照明装置を＋Ｚ側から見た平面図である。
【図７】図７は、実施形態に係る照明装置を−Ｚ側から見た平面図である。
【図８】図８は、実施形態に係る照明装置を−Ｘ側から見た側面図である。
【図９】図９は、実施形態に係る照明装置を示すＹＺ平面と平行な断面図である。
【図１０】図１０は、実施形態に係る発光部を示すＹＺ平面と平行な断面図である。
【図１１】図１１は、実施形態に係る発光部を示すＸＹ平面と平行な断面図である。
【図１２】図１２は、実施形態に係る照明装置を示すＸＺ平面と平行な断面図である。
【図１３】図１３は、実施形態に係る照明装置を示すＸＹ平面と平行な断面図である。
【図１４】図１４は、実施形態に係る照明装置を示すＸＹ平面と平行な断面図である。
【図１５】図１５は、実施形態に係る照明装置の動作を示す図である。
【図１６】図１６は、実施形態に係るバッテリ及びバッテリ装着部を示す図である。
【図１７】図１７は、実施形態に係る照明装置の一部を示すＹＺ平面と平行な断面図である。
【図１８】図１８は、実施形態に係る照明装置が設置面に置かれた状態を示す図である。
【図１９】図１９は、実施形態に係る下部ハンドルが使用者に保持されている状態を示す図である。
【図２０】図２０は、実施形態に係る突起部の作用を示す図である。
【発明を実施するための形態】
【０００９】
以下、本発明に係る実施形態について図面を参照しながら説明するが、本発明はこれに限定されない。以下で説明する実施形態の構成要素は、適宜組み合わせることができる。また、一部の構成要素を用いない場合もある。
【００１０】
以下の説明においては、ＸＹＺ直交座標系を規定し、ＸＹＺ直交座標系を参照しながら各部の位置関係について説明する。水平面内のＸ軸と平行な方向をＸ軸方向とする。Ｘ軸と直交する水平面内のＹ軸と平行な方向をＹ軸方向とする。水平面と直交するＺ軸と平行な方向をＺ軸方向とする。Ｘ軸及びＹ軸を含む平面を適宜、ＸＹ平面、と称する。Ｘ軸及びＺ軸を含む平面を適宜、ＸＺ平面、と称する。Ｙ軸及びＺ軸を含む平面を適宜、ＹＺ平面、と称する。ＸＹ平面は、水平面と平行である。ＸＹ平面とＸＺ平面とＹＺ平面とは直交する。Ｚ軸は鉛直線と平行である。Ｚ軸方向は上下方向である。＋Ｚ方向は上方向であり、−Ｚ方向は下方向である。
【００１１】
［照明装置の概要］
図１は、実施形態に係る照明装置１を模式的に示す図である。図１に示すように、照明装置１は、錘２５を含む本体部２と、本体部２よりも上方に配置され照明光を射出する発光部３と、電動工具用のバッテリ４が装着されるバッテリ装着部５と、本体部２の上部を囲むように配置された上部ハンドル６と、本体部２に設けられた下部ハンドル７と、本体部２から突出する突起部８と、インターフェース装置９とを備える。照明装置１は、工事現場又は建設現場のような作業現場、野営地、その他の照明光を必要する場所に設置される。照明装置１は、電動工具用のバッテリ４から供給される電力により作動する。照明装置１の電源として電動工具用のバッテリ４が使用されるので、照明装置１の設置場所が制限されることが抑制される。照明装置１の使用者は、照明装置１の設置場所を容易に変更することができる。
【００１２】
照明装置１は、所定の姿勢で設置面ＦＬに設置されている状態で、外力の作用により姿勢を変更されても、所定の姿勢に自然に復元される自己復元型の照明装置である。照明装置１が設置面ＦＬに設置されている状態で、例えば物体との接触により照明装置１に外力が作用する可能性がある。照明装置１に外力が作用することにより、照明装置１の姿勢が所定の姿勢から変更される可能性がある。照明装置１に外力が作用することにより、例えば照明装置１が傾けられる可能性がある。照明装置１は、外力の作用により傾けられても、所定の姿勢に自然に復元される。実施形態において、所定の姿勢は、本体部２の中心線ＡＸとＺ軸（鉛直線）とが平行となる直立姿勢である。中心線ＡＸがＺ軸に対して傾斜するように照明装置１に外力が作用しても、本体部２の中心線ＡＸがＺ軸と平行となるように照明装置１の姿勢が復元される。
【００１３】
以下の説明においては、照明装置１が直立姿勢に維持されていることとして、各部の位置関係について説明する。すなわち、以下の説明においては、中心線ＡＸと平行な方向がＺ軸方向であり、中心線ＡＸと直交する方向がＸ軸方向及びＹ軸方向であり、中心線ＡＸと直交する面がＸＹ平面であることとする。
【００１４】
中心線ＡＸと平行なＺ軸方向の本体部２の寸法Ｈは、中心線ＡＸと直交するＸ軸方向及びＹ軸方向の本体部２の寸法Ｗよりも大きい。すなわち、本体部２は、Ｚ軸方向に長い。発光部３は、本体部２よりも上方に配置される。発光部３が高い位置に配置されるので、照明装置１は周囲の物体を十分に照明することができる。
【００１５】
［本体部］
図２は、実施形態に係る照明装置１を斜め上方から見た斜視図である。図３は、実施形態に係る照明装置１を斜め下方から見た斜視図である。図４は、実施形態に係る照明装置１を＋Ｘ側から見た側面図である。図５は、実施形態に係る照明装置１を＋Ｙ側から見た側面図である。図６は、実施形態に係る照明装置１を＋Ｚ側から見た平面図である。図７は、実施形態に係る照明装置１を−Ｚ側から見た平面図である。図８は、実施形態に係る照明装置１を−Ｘ側から見た側面図である。図９は、実施形態に係る照明装置１を示すＹＺ平面と平行な断面図である。
【００１６】
図１、図２、図３、図４、図５、図６、図７、図８、及び図９に示すように、本体部２は、電動工具用のバッテリ４が通過可能な開口２３及び開口２３に接続される内部空間１０を有するハウジング２０と、ハウジング２０の下部に配置される錘２５とを含む。
【００１７】
ハウジング２０は、中心線ＡＸの周囲に配置される。ハウジング２０は、例えば合成樹脂製である。ハウジング２０は、Ｚ軸方向に長い。ハウジング２０は、下部ハウジング２１と、下部ハウジング２１よりも上方に配置される上部ハウジング２２とを含む。下部ハウジング２１と上部ハウジング２２とは一体である。
【００１８】
錘２５は、下部ハウジング２１の下部に配置される。錘２５は、例えば鉄製である。中心線ＡＸと平行なＺ軸方向の錘２５の寸法は、中心線ＡＸと直交するＸ軸方向及びＹ軸方向の錘２５の寸法よりも小さい。錘２５は、扁平な円板状の部材である。
【００１９】
本体部２は、カウンターウエイト部２Ａと、カウンターウエイト部２Ａよりも上方に配置される支持部２Ｂとを有する。
【００２０】
カウンターウエイト部２Ａは、照明装置１を直立姿勢に自然に復元させる重量を有する。カウンターウエイト部２Ａは、下部ハウジング２１と、下部ハウジング２１の下部に配置される錘２５とを含む。照明装置１が直立姿勢で設置面ＦＬに設置されている状態で、照明装置１に外力が作用して、照明装置１の姿勢が変更されても、錘２５の作用により、照明装置１は直立姿勢に自然に復元される。
【００２１】
カウンターウエイト部２Ａは、底面２６と、底面２６の周縁部と結ばれる側面２７とを有する。カウンターウエイト部２Ａの表面は、底面２６及び側面２７を含む。底面２６は、実質的に平坦である。底面２６は、中心線ＡＸと直交する。側面２７は、中心線ＡＸの周囲に配置される。底面２６の周縁部と側面２７の下端部とが結ばれる。中心線ＡＸと直交するＸＹ平面において、側面２７の外形は、底面２６の外形よりも大きい。
【００２２】
側面２７は、底面２６の周縁部と結ばれ上方に向かって中心線ＡＸから離れる湾曲面２７Ａと、湾曲面２７Ａの上端部と結ばれ上方に向かって中心線ＡＸに近付く斜面２７Ｂとを有する。湾曲面２７Ａは、本体部２の中心から外側に向かって膨らむように湾曲する。湾曲面２７Ａの上端部と斜面２７Ｂの下端部との境界２７Ｃは、中心線ＡＸを囲む。中心線ＡＸと直交するＸＹ平面において、境界２７Ｃの外形は、湾曲面２７Ａの外形及び斜面２７Ｂの外形よりも大きい。
【００２３】
支持部２Ｂは、発光部３を支持する。支持部２Ｂは、上部ハウジング２２を含む。上部ハウジング２２は、実質的に円筒状である。支持部２Ｂは、カウンターウエイト部２Ａよりも上方に配置される。発光部３は、支持部２Ｂの上端部に配置される。支持部２Ｂは、側面２８を有する。支持部２Ｂの表面は、側面２８を含む。側面２８は、中心線ＡＸの周囲に配置される。
【００２４】
中心線ＡＸと直交するＸＹ平面において、支持部２Ｂの少なくとも一部の外形は、実質的に円形である。中心線ＡＸと直交するＸＹ平面において、カウンターウエイト部２Ａの少なくとも一部の外形は、実質的に円形である。中心線ＡＸと直交するＸＹ平面において、カウンターウエイト部２Ａの外形は、支持部２Ｂの外形よりも大きい。すなわち、カウンターウエイト部２Ａは、支持部２Ｂよりも太い。
【００２５】
中心線ＡＸと平行なＺ軸方向において、カウンターウエイト部２Ａの寸法は、支持部２Ｂの寸法よりも大きくてもよいし、小さくてもよい。すなわち、支持部２Ｂは、カウンターウエイト部２ＡよりもＺ軸方向に短くてもよいし、長くてもよい。Ｚ軸方向において、カウンターウエイト部２Ａの寸法と支持部２Ｂの寸法とは、等しくてもよい。
【００２６】
開口２３は、バッテリ４が通過可能な大きさを有する。開口２３は、カウンターウエイト部２Ａの側面２７の一部に設けられる。実施形態において、開口２３は、下部ハウジング２１の＋Ｙ側の側面２７の一部に設けられる。
【００２７】
開口２３の少なくとも一部は、斜面２７Ｂに設けられる。開口２３の少なくとも一部は、湾曲面２７Ａに設けられる。開口２３の上端部は、斜面２７Ｂに設けられる。開口２３の下端部は、湾曲面２７Ａに設けられる。
【００２８】
照明装置１は、開口２３を開閉するドア２４を備える。図８は、開口２３が開いている状態を示す。ドア２４の上部と下部ハウジング２１の一部とがヒンジ２４Ａを介して連結される。ドア２４は、ヒンジ２４Ａの回転軸を中心に上下方向に回動可能である。ドア２４が上方に回動することにより、開口２３が開く。ドア２４が下方に回動することにより、開口２３が閉じる。ドア２４の下部は、ラッチ２４Ｂを介して下部ハウジング２１の一部と固定される。ラッチ２４Ｂが操作されることにより、ドア２４と下部ハウジング２１との固定が解除される。
【００２９】
バッテリ装着部５は、カウンターウエイト部２Ａの内部空間１０に配置される。バッテリ装着部５は、バッテリ４を着脱可能に保持する。バッテリ４は、開口２３を移動可能である。内部空間１０にバッテリ４を挿入する作業及び内部空間１０からバッテリ４を退去させる作業は、開口２３を介して実行される。図８に示すように、ドア２４は、上方に回動した状態で、開口２３を上方から覆うように配置される。ドア２４は、上方に回動した状態で、開口２３の上方から開口２３に異物が侵入することを抑制する庇として機能する。ドア２４により、開口２３よりも上方に存在する異物が開口２３を介して内部空間１０に侵入することが抑制される。異物は、雨水のような液体を含む。ドア２４により、雨水が開口２３を介して内部空間１０に侵入することが抑制される。
【００３０】
［発光部］
図１０は、実施形態に係る発光部３を示すＹＺ平面と平行な断面図である。図１１は、実施形態に係る発光部３を示すＸＹ平面と平行な断面図であり、図５のＡ−Ａ線断面矢視図に相当する。
【００３１】
発光部３は、照明光を射出する。図９、図１０、及び図１１に示すように、発光部３は、支持部材３０と、支持部材３０に支持される光源３１と、支持部材３０及び光源３１を覆うカバー３２とを有する。
【００３２】
支持部材３０は、光源３１を支持する。支持部材３０は、本体部２の支持部２Ｂの上端部に固定される。支持部材３０は、内部空間を有する柱状部材である。支持部材３０は、側面３０Ａと、上面３０Ｂとを有する。図１１に示すように、中心線ＡＸと直交するＸＹ平面において、支持部材３０の外形は、多角形である。
【００３３】
光源３１は、照明光を射出する。光源３１として、発光ダイオード（ＬＥＤ：Light  Emitting  Diode）が例示される。なお、光源３１は、例えば白熱電球でもよい。光源３１は、支持部材３０に複数設けられる。複数の光源３１が、側面３０Ａ及び上面３０Ｂのそれぞれに配置される。
【００３４】
カバー３２は、光源３１を保護するために、支持部材３０及び光源３１を覆う。カバー３２は、支持部材３０及び光源３１が配置される内部空間を有する。カバー３２は、光源３１から射出された照明光を透過可能な透明部材で形成される。カバー３２は、支持部材３０の側面３０Ａの周囲に配置される側板部３２Ａと、支持部材３０の上面３０Ｂと対向する天板部３２Ｂとを有する。側板部３２Ａの下端部は、支持部２Ｂの上端部に固定される。図１１に示すように、中心軸ＡＸと直交するＸＹ平面において、カバー３２の外形は、円形である。
【００３５】
［バッテリ装着部及びバッテリ］
図１２は、実施形態に係る照明装置１を示すＸＺ平面と平行な断面図である。図１３は、実施形態に係る照明装置１を示すＸＹ平面と平行な断面図であり、図５のＢ―Ｂ線断面矢視図に相当する。図１４は、実施形態に係る照明装置１を示すＸＹ平面と平行な断面図であり、図５のＣ−Ｃ線断面矢視図に相当する。
【００３６】
図９、図１２、図１３、及び図１４に示すように、照明装置１は、電動工具用のバッテリ４が装着されるバッテリ装着部５を有する。バッテリ４は、バッテリ装着部５に着脱可能に装着される。バッテリ装着部５は、カウンターウエイト部２Ａの内部空間１０に配置される。バッテリ装着部５は、内部空間１０において錘２５の上方に配置される。
【００３７】
開口２３の少なくとも一部は、カウンターウエイト部２Ａ（下部ハウジング２１）の側面２７においてバッテリ装着部５よりも上方に設けられる。バッテリ装着部５は、開口２３から離れるほど下方に傾斜するように配置される。
【００３８】
図９に示すように、開口２３は、＋Ｙ側の側面２７の一部に設けられる。バッテリ装着部５は、−Ｙ方向に向かって下方に傾斜する。
【００３９】
中心線ＡＸと平行なＺ軸方向において、バッテリ装着部５は、湾曲面２７Ａと斜面２７Ｂとの境界２７Ｃよりも下方に配置される。
【００４０】
バッテリ装着部５に装着された状態で、バッテリ４の少なくとも一部は、湾曲面２７Ａと斜面２７Ｂとの境界２７Ｃよりも下方に配置される。
【００４１】
バッテリ装着部５は、複数設けられる。実施形態において、バッテリ装着部５は、２つ配置される。２つのバッテリ装着部５は、Ｘ軸方向に配置される。バッテリ４は、複数のバッテリ装着部５のそれぞれに着脱可能に装着される。２つのバッテリ装着部５のそれぞれが、開口２３から離れるほど下方に傾斜する。
【００４２】
中心線ＡＸと直交するＸＹ平面において、バッテリ装着部５の少なくとも一部は、カウンターウエイト部２Ａの中央に配置される。図９に示すように、Ｙ軸方向において、バッテリ装着部５の一部及びバッテリ装着部５に装着されたバッテリ４の一部は、カウンターウエイト部２Ａの中心と一致する。
【００４３】
図９に示すように、バッテリ装着部５は、内部空間１０に設けられた支持機構１１に支持される。支持機構１１は、内部空間１０において錘２５の上方に配置される。支持機構１１は、バッテリ装着部５が設置される支持部材１２と、支持部材１２を支持するリブ材１３とを有する。支持部材１２の少なくとも一部は、板状である。リブ材１３は、錘２５の上方に配置される。支持部材１２は、リブ材１３の上方に配置される。支持部材１２の上面は、開口２３から離れるほど下方に傾斜する。支持部材１２の上面は、−Ｙ側に向かって下方に傾斜する。バッテリ装着部５は、支持部材１２の上面の少なくとも一部に支持される。
【００４４】
開口２３とバッテリ装着部５との間の支持部材１２の少なくとも一部に、開口２３から内部空間１０に挿入されたバッテリ４をバッテリ装着部５にガイドするガイド部１２Ｇが配置される。ガイド部１２Ｇは、開口２３とバッテリ装着部５との間において開口２３から離れるほど下方に傾斜する。
【００４５】
図１５は、実施形態に係る照明装置１の動作を示す図である。カウンターウエイト部２Ａは、錘２５を含む。中心線ＡＸと平行な方向において、バッテリ装着部５は、境界２７Ｃよりも下方に配置される。照明装置１の重心Ｇは、カウンターウエイト部２Ａに配置される。照明装置１の重心Ｇは、バッテリ装着部５にバッテリ４が装着された状態及びバッテリ装着部５にバッテリ４が装着されない状態のそれぞれにおいて、カウンターウエイト部２Ａに配置される。
【００４６】
湾曲面２７Ａが設置面ＦＬに接触している状態においては、照明装置１は、直立姿勢に自然に復元される。図１５に示すように、境界２７Ｃが設置面ＦＬに接触しても、照明装置１の重心Ｇは、境界２７Ｃの直上には配置されず、底面２６側に配置される。バッテリ４がバッテリ装着部５に装着された状態で、境界２７Ｃが設置面ＦＬに接触しても、照明装置１の重心Ｇが境界２７Ｃの直上よりも底面２６側に配置されるように、バッテリ装着部５の位置が設定される。
【００４７】
図１６は、実施形態に係るバッテリ４及びバッテリ装着部５を示す図である。図１４及び図１６に示すように、バッテリ装着部５は、バッテリ４をガイドするガイドレール５１と、バッテリ４のバッテリ端子４３に接続される接続端子５３とを有する。一対のガイドレール５１は、Ｘ軸方向に配置される。一対のガイドレール５１は、平行に配置される。ガイドレール５１は、開口２３から離れるほど下方に傾斜する。ガイドレール５１は、−Ｙ側に向かって下方に傾斜する。接続端子５３は、一対のガイドレール５１の間に配置される。
【００４８】
バッテリ４は、電動工具の直流電源である。バッテリ４は、複数のリチウムイオン電池セルを含む。バッテリ４は、充電器により充電可能である。バッテリ４は、携帯可能である。バッテリ４は、少なくとも発光部３の光源３１に電力を供給する。
【００４９】
バッテリ４は、ガイドレール５１にガイドされる一対のスライドレール４１と、バッテリ装着部５の接続端子５３に接続されるバッテリ端子４３と、解除ボタン４２とを有する。
【００５０】
スライドレール４１は、バッテリ装着部５のガイドレール５１にガイドされる。一対のスライドレール４１は、平行に配置される。バッテリ端子４３は、一対のスライドレール４１の間に配置される。バッテリ４がバッテリ装着部５に装着された状態で、バッテリ４のバッテリ端子４３とバッテリ装着部５の接続端子５３とが接続される。
【００５１】
解除ボタン４２は、バッテリ４とバッテリ装着部５との固定を解除するために操作される。
【００５２】
［バッテリの着脱］
図１７は、実施形態に係る照明装置１の一部を示すＹＺ平面と平行な断面図であり、開口２３が開いている状態を示す。バッテリ４をバッテリ装着部５に装着する場合、開口２３が開いている状態で、バッテリ４が開口２３を介して内部空間１０に挿入される。バッテリ４は、ガイド部１２Ｇにガイドされながらバッテリ装着部５に移動される。バッテリ４は、開口２３からバッテリ装着部５に向かって斜め下方に移動される。バッテリ４がバッテリ装着部５に移動されることにより、スライドレール４１とガイドレール５１とが接触する。スライドレール４１がガイドレール５１にガイドされながら、バッテリ端子４３と接続端子５３とが接続されるように、バッテリ４はバッテリ装着部５を移動される。バッテリ装着部５において、バッテリ４は、斜め下方に移動される。バッテリ端子４３と接続端子５３とが接続されることにより、バッテリ４がバッテリ装着部５に装着される。
【００５３】
バッテリ４をバッテリ装着部５から外す場合、解除ボタン４２が操作される。解除ボタン４２が操作されることにより、バッテリ４とバッテリ装着部５との固定が解除される。バッテリ４とバッテリ装着部５との固定が解除された後、バッテリ４が開口２３に向かってスライドされ、バッテリ装着部５から抜去される。バッテリ装着部５から抜去されたバッテリ４は、ガイド部１２Ｇにガイドされながら開口２３に向かって移動される。バッテリ４は、バッテリ装着部５から開口２３に向かって斜め上方に移動される。バッテリ４は、開口２３を介して内部空間１０から退去される。
【００５４】
開口２３の少なくとも一部は、下部ハウジング２１の側面２７においてバッテリ装着部５よりも上方に設けられる。これにより、使用者は、開口２３を介して内部空間１０にバッテリ４を挿入する作業及び開口２３を介して内部空間１０からバッテリ４を退去させる作業を円滑に実行することができる。バッテリ装着部５は、開口２３から離れるほど下方に傾斜する。これにより、開口２３から内部空間１０に挿入されたバッテリ４は、内部空間１０の下部においてバッテリ装着部５に装着される。内部空間１０の下部においてバッテリ４がバッテリ装着部５に装着されるため、照明装置１の重心Ｇは、低い位置に維持される。そのため、照明装置１に外力が作用して照明装置１の姿勢が変更されても、照明装置１は直立姿勢に自然に復元される。
【００５５】
［上部ハンドル］
図１、図２、図３、図４、図５、図６、図８、図９、図１０、及び図１１等に示すように、照明装置１は、使用者に保持される上部ハンドル６を有する。上部ハンドル６は、本体部２の上部を囲むように配置される。上部ハンドル６は、支持部２Ｂの上部を囲むように配置される環状部材である。上部ハンドル６と本体部２及び発光部３とは離れている。上部ハンドル６は、連結部材６Ａを介して支持部２Ｂの上部ハウジング２２に連結される。連結部材６Ａは、棒状部材である。連結部材６Ａは、中心軸ＡＸの周囲に複数配置される。連結部材６Ａは、連結部材６Ａの長手方向と中心軸ＡＸの放射方向とが平行となるように、上部ハンドル６及び上部ハウジング２２のそれぞれに連結される。複数の連結部材６Ａは、中心軸ＡＸの周囲に一定の間隔で配置される。図６に示すように、連結部材６Ａは、上部ハンドル６と上部ハウジング２２との間に４本配置される。
【００５６】
中心線ＡＸと直交するＸＹ平面において、発光部３の中心と上部ハンドル６の中心とは実質的に一致する。中心軸ＡＸと直交するＸＹ平面において、上部ハンドル６の外形は、発光部３の外形よりも大きく、カウンターウエイト部２Ａの外形よりも小さい。
【００５７】
図１８は、実施形態に係る照明装置１が設置面ＦＬに置かれた状態を示す図である。図１８に示すように、上部ハンドル６及びカウンターウエイト部２Ａが平坦な設置面ＦＬに接触した状態で、発光部３は、設置面ＦＬから離れる。
【００５８】
照明装置１が倒れても、上部ハンドル６により、発光部３が設置面ＦＬに接触することが抑制される。上部ハンドル６は、照明装置１が倒れても発光部３と設置面ＦＬとの接触を抑制して発光部３を保護する保護部材として機能する。
【００５９】
［下部ハンドル］
図１、図２、図５、図６、図７、図１１、図１２、及び図１３等に示すように、照明装置１は、使用者に保持される下部ハンドル７を有する。下部ハンドル７は、カウンターウエイト部２Ａに配置される。カウンターウエイト部２Ａの側面２７の一部に凹部２９が設けられる。下部ハンドル７は、凹部２９の内面と間隙を介して対向する。
【００６０】
中心軸ＡＸと直交するＸＹ平面において、下部ハンドル７は、円弧状である。中心線ＡＸと平行なＺ軸方向において、下部ハンドル７の位置と境界２７Ｃの位置とは実質的に等しい。中心線ＡＸの周方向において、下部ハンドル７の両端部は、境界２７Ｃと接続される。
【００６１】
図１９は、実施形態に係る下部ハンドル７が使用者に保持されている状態を示す図である。上述のように、照明装置１の重心Ｇは、カウンターウエイト部２Ａに配置される。使用者は、下部ハンドル７を保持することにより、重心Ｇに近い照明装置１の少なくとも一部を保持することができる。
【００６２】
［突起部］
図１、図２、図３、図４、図５、図６、図７、図８、図１１、及び図１３等に示すように、照明装置１は、カウンターウエイト部２Ａに設けられた突起部８を備える。突起部８は、カウンターウエイト部２Ａの側面２７から中心線ＡＸの放射方向外側に突出する。突起部８は、カウンターウエイト部２Ａの湾曲面２７Ａの上部に設けられる。なお、突起部８は、境界２７Ｃに設けられてもよい。突起部８は、中心線ＡＸの周方向に間隔をあけて複数配置される。上部ハンドル６及びカウンターウエイト部２Ａが設置面ＦＬに接触した状態で、突起部８は、設置面ＦＬに接触可能である。
【００６３】
図２０は、実施形態に係る突起部８の作用を示す図である。照明装置１が倒れ、上部ハンドル６及びカウンターウエイト部２Ａが設置面ＦＬに接触すると、照明装置１は、設置面ＦＬを転がる可能性がある。照明装置１が転がろうとした場合、図２０に示すように、突起部８と設置面ＦＬとが接触する。これにより、照明装置１が転がり続けてしまうことが抑制される。
【００６４】
［インターフェース装置］
図１、図２、及び図５等に示すように、照明装置１は、本体部２に設けられるインターフェース装置９を備える。インターフェース装置９は、支持部２Ｂ（上部ハウジング２２）の表面に配置される。インターフェース装置９は、ドア２４の上方に配置される。
【００６５】
インターフェース装置９は、少なくとも発光部３の制御のために使用者に操作される操作部と、少なくとも発光部３の作動状況を使用者に提供する表示部とを含む。
【００６６】
図５に示すように、インターフェース装置９は、表示部として、発光部３から射出される照明光の強度を表示する強度インジケータ９１を有する。また、インターフェース装置９は、操作部として、発光部３から射出される照明光の強度を変更する強度切換ボタン９２と、照明装置１の電源のオンとオフとを切り換える電源ボタン９３と、複数の光源３１のうち点灯させる光源３１を切り換える点灯切換ボタン９４とを有する。
【００６７】
［交流端子］
図３、図４、図８、及び図１３等に示すように、照明装置１は、交流端子１５を有する。交流端子１５は、カウンターウエイト部２Ａの側面２７の下部に配置される。交流端子１５は、ケーブルを介して商用電源（交流電源）に接続される。交流端子１５は、カバー１６で覆われる。
【００６８】
すなわち、照明装置１は、電源として、バッテリ４のみならず、商用電源を使用可能である。
【００６９】
図１３に示すように、交流端子１５は、入力端子１５Ａと、出力端子１５Ｂとを含む。入力端子１５Ａは、ケーブルを介して商用電源と接続される。出力端子１５Ｂは、ケーブルを介して、別の照明装置１の入力端子１５Ａと接続される。実施形態において、複数の照明装置１が、交流端子１５及びケーブルを介して直列に接続可能である。
【００７０】
図３、図４、図８、図９、及び図１１等に示すように、照明装置１は、ケーブルが掛けられるケーブルフック１４を有する。ケーブルフック１４は、カウンターウエイト部２Ａの表面に設けられる下部フック１４Ａと、支持部２Ｂの表面に設けられる上部フック１４Ｂとを含む。上部フック１４Ｂは、下部フック１４Ａの上方に配置される。ケーブルが使用されないとき、ケーブルフック１４に巻かれる。
【００７１】
［効果］
以上説明したように、照明装置１の電源として、電動工具用のバッテリ４が使用される。これにより、照明装置１の設置場所が制限されることが抑制される。照明装置１の使用者は、照明装置１の設置場所を容易に変更することができる。
【００７２】
姿勢を変更されても所定の姿勢に自然に復元される自己復元型の照明装置１において、バッテリ装着部５は、本体部２の内部空間において開口２３から離れるほど下方に傾斜する。バッテリ装着部５は、内部空間１０の下部に設置される。これにより、開口２３から内部空間１０に挿入されたバッテリ４は、内部空間１０の下部においてバッテリ装着部５に装着される。内部空間１０の下部においてバッテリ４がバッテリ装着部５に装着されるため、照明装置１の重心Ｇは、低い位置に維持される。そのため、照明装置１に外力が作用して照明装置１の姿勢が変更されても、照明装置１は所定の姿勢に自然に復元される。すなわち、バッテリ装着部５が開口２３から離れるほど下方に傾斜し、バッテリ装着部５が本体部２の下部に配置されるので、所定の姿勢に自然に復元される照明装置１の自己復元機能が損なわれることが抑制される。
【００７３】
また、バッテリ装着部５が開口２３から離れるほど下方に傾斜するので、使用者は、バッテリ４を斜め下方に移動してバッテリ装着部５に装着する作業、及びバッテリ４を斜め上方に移動してバッテリ装着部５から外す作業を円滑に実行することができる。
【００７４】
開口２３の少なくとも一部は、下部ハウジング２１の側面２７においてバッテリ装着部５よりも上方に設けられる。これにより、使用者は、開口２３を介して内部空間１０にバッテリ４を挿入する作業及び開口２３を介して内部空間１０からバッテリ４を退去させる作業を円滑に実行することができる。
【００７５】
バッテリ装着部５のガイドレール５１が開口２３から離れるほど下方に傾斜する。これにより、使用者は、バッテリ４を斜め下方に移動してバッテリ装着部５に装着する作業、及びバッテリ４を斜め上方に移動してバッテリ装着部５から外す作業を円滑に実行することができる。
【００７６】
ガイド部１２Ｇは、開口２３とバッテリ装着部５との間において開口２３から離れるほど下方に傾斜して、バッテリ４をガイドする。これにより、開口２３とバッテリ装着部５とが離れていても、ガイド部１２Ｇにより、使用者は、バッテリ４を斜め下方に移動してバッテリ装着部５に装着する作業、及びバッテリ４を斜め上方に移動してバッテリ装着部５から外す作業を円滑に実行することができる。
【００７７】
バッテリ装着部５は、カウンターウエイト部２Ａの内部空間１０に配置される。これにより、照明装置１の重心Ｇは、低い位置に維持される。
【００７８】
中心線ＡＸと直交するＸＹ平面において、バッテリ装着部５の少なくとも一部は、カウンターウエイト部２Ａの中央に配置される。これにより、ＸＹ平面内における照明装置１の重量バランスが偏ることが抑制される。
【００７９】
中心線ＡＸと平行なＺ軸方向において、バッテリ装着部５は、湾曲面２７Ａと斜面２７Ｂとの境界２７Ｃよりも下方に配置される。また、バッテリ装着部５に装着された状態で、バッテリ４の少なくとも一部は、境界２７Ｃよりも下方に配置される。これにより、照明装置１の重心Ｇは、低い位置に維持される。少なくとも湾曲面２７Ａが設置面ＦＬに接触している状態において、照明装置１は、所定の姿勢に自然に復元される。
【００８０】
開口２３の少なくとも一部は、カウンターウエイト部２Ａの斜面２７Ｂに設けられる。これにより、開口２３の少なくとも一部は上方を向く。そのため、使用者は、バッテリ４を斜め下方に移動してバッテリ装着部５に装着する作業、及びバッテリ４を斜め上方に移動してバッテリ装着部５から外す作業を円滑に実行することができる。
【００８１】
本体部２の上部を囲むように上部ハンドル６が配置される。使用者は、上部ハンドル６を保持して、照明装置１を運ぶことができる。使用者は、照明装置１の設置場所を容易に変更することができる。また、中心線ＡＸと直交するＸＹ平面において、上部ハンドル６の外形は、発光部３の外形よりも大きい。図１８等を参照して説明したように、上部ハンドル６及びカウンターウエイト部２Ａが設置面ＦＬに接触した状態で、発光部３と設置面ＦＬとの接触が抑制される。これにより、発光部３は保護される。
【００８２】
カウンターウエイト部２Ａに下部ハンドル７が設けられる。図１９等を参照して説明したように、使用者は、下部ハンドル７を保持して、照明装置１を運ぶことができる。使用者は、照明装置１の設置場所を容易に変更することができる。照明装置１の重心Ｇは、カウンターウエイト部２Ａに配置される。使用者は、下部ハンドル７を保持することにより、重心Ｇに近い照明装置１の少なくとも一部を保持することができる。したがって、使用者は、照明装置１を円滑に運ぶことができる。
【００８３】
カウンターウエイト部２Ａの側面に凹部２９が設けられる。下部ハンドル７は、凹部２９の内面と間隙を介して対向する。これにより、使用者は、下部ハンドル７と凹部２９の内面との間の空間に手を入れることができる。したがって、使用者は、照明装置１を円滑に運ぶことができる。
【００８４】
湾曲面２７Ａの上部に突起部８が設けられる。突起部８は、中心線ＡＸの放射方向外側に突出する。これにより、図２０等を参照して説明したように、上部ハンドル６及びカウンターウエイト部２Ａが設置面ＦＬに接触した場合において、照明装置１が転がり続けてしまうことが抑制される。
【００８５】
開口２３を開閉するドア２４が設けられる。ドア２４の上部とハウジング２０の少なくとも一部とがヒンジ２４Ａを介して連結される。ドア２４は、上方に回動した状態で、開口２３の上方から開口２３に異物が侵入することを抑制する庇として機能する。これにより、異物が開口２３を介して内部空間１０に侵入することが抑制される。したがって、例えばバッテリ装着部５の汚染が抑制される。
【００８６】
バッテリ装着部５は複数設けられる。バッテリ４が複数のバッテリ装着部５のそれぞれに装着されることにより、バッテリ４は、電力を長期間供給することができる。バッテリ４は、バッテリ装着部５と着脱可能である。したがって、バッテリ４を１つだけ使用したり複数使用したりすることができる。
【００８７】
［その他の実施形態］
上述の実施形態において、バッテリ装着部５は、カウンターウエイト部２Ａの内部空間１０において、境界２７Ｃよりも下方に配置されることとした。バッテリ装着部５は、カウンターウエイト部２Ａの内部空間１０において、境界２７Ｃよりも上方に配置されてもよい。
【００８８】
上述の実施形態において、バッテリ装着部５は、カウンターウエイト部２Ａの内部空間１０に配置されることとした。バッテリ装着部５は、支持部２Ｂの内部空間１０に配置されてもよい。
【００８９】
上述の実施形態において、バッテリ装着部５は複数設けられることとした。バッテリ装着部５は１つでもよい。バッテリ装着部５が１つでも、中心線ＡＸと直交するＸＹ平面において、バッテリ装着部５の少なくとも一部がカウンターウエイト部２Ａの中央に配置されることにより、照明装置１の重量バランスが偏ることが抑制される。
【符号の説明】
【００９０】
１…照明装置、２…本体部、２Ａ…カウンターウエイト部、２Ｂ…支持部、３…発光部、４…バッテリ、５…バッテリ装着部、６…上部ハンドル、６Ａ…連結部材、７…下部ハンドル、８…突起部、９…インターフェース装置、１０…内部空間、１１…支持機構、１２…支持部材、１２Ｇ…ガイド部、１３…リブ材、１４…ケーブルフック、１４Ａ…下部フック、１４Ｂ…上部フック、１５…交流端子、１５Ａ…入力端子、１５Ｂ…出力端子、１６…カバー、２０…ハウジング、２１…下部ハウジング、２２…上部ハウジング、２３…開口、２４…ドア、２４Ａ…ヒンジ、２４Ｂ…ラッチ、２５…錘、２６…底面、２７…側面、２７Ａ…湾曲面、２７Ｂ…斜面、２７Ｃ…境界、２８…側面、２９…凹部、３０…支持部材、３０Ａ…側面、３０Ｂ…上面、３１…光源、３２…カバー、３２Ａ…側板部、３２Ｂ…天板部、４１…スライドレール、４２…解除ボタン、４３…バッテリ端子、５１…ガイドレール、５３…接続端子、９１…強度インジケータ、９２…強度切換ボタン、９３…電源ボタン、９４…点灯切換ボタン、ＡＸ…中心線。
【図１】
2020126812.tif 000003
【図２】
2020126812.tif 000004
【図３】
2020126812.tif 000005
【図４】
2020126812.tif 000006
【図５】
2020126812.tif 000007
【図６】
2020126812.tif 000008
【図７】
2020126812.tif 000009
【図８】
2020126812.tif 000010
【図９】
2020126812.tif 000011
【図１０】
2020126812.tif 000012
【図１１】
2020126812.tif 000013
【図１２】
2020126812.tif 000014
【図１３】
2020126812.tif 000015
【図１４】
2020126812.tif 000016
【図１５】
2020126812.tif 000017
【図１６】
2020126812.tif 000018
【図１７】
2020126812.tif 000019
【図１８】
2020126812.tif 000020
【図１９】
2020126812.tif 000021
【図２０】
2020126812.tif 000022